(57)【要約】【課題】シャワー吐水とストレート吐水とを吐水可能な吐水装置において、メンテナンスが不要または低頻度でありながら比較的高い吐水性能を維持できる技術を提供する。【解決手段】吐水装置は、通水路８２から流れてくる水をシャワー吐水用の複数の吐水口６４ｄに導くためのシャワー吐水用水路８８と、通水路８２から流れてくる水をストレート吐水用の吐水口９０ａに導くためのストレート吐水用水路９２と、複数の吐水口６４ｄに流れ込む水が通るストレーナ７０と、を備える。ストレーナ７０は、通水路８２とストレート吐水用水路９２とがストレーナ７０を介さずに通じる部分を有するように設けられる。【選択図】図４
2019027256.tif 000002
【特許請求の範囲】
【請求項１】
上流側水路から流れてくる水をシャワー吐水用の複数の第１吐水口に導くための第１水路と、
前記上流側水路から流れてくる水をストレート吐水用の第２吐水口に導くための第２水路と、
前記複数の第１吐水口に流れ込む水が通るストレーナと、を備え、
前記ストレーナは、前記上流側水路と前記第２水路とが当該ストレーナを介さずに通じる部分を有するように設けられることを特徴とする吐水装置。
【請求項２】
前記ストレーナは、前記第１水路の流入口または当該流入口よりも上流側に設けられることを特徴とする請求項１に記載の吐水装置。
【請求項３】
前記上流側水路は、メイン水路と、前記メイン水路の下流側に位置し、前記第１水路および前記第２水路と接続される接続水路と、を含み、
前記第１水路の流入口は、前記第２水路の第２流入口よりも前記メイン水路の近くに位置することを特徴とする請求項１または２に記載の吐水装置。
【請求項４】
前記第１水路の流入口は前記第２水路の流入口よりも上流側に位置することを特徴とする請求項１から３のいずれかに記載の吐水装置。
【請求項５】
前記上流側水路は、所定の方向に沿って延在し、
前記上流側水路の延在方向に沿った断面において、前記ストレーナは、前記第２水路の流入口に近いほど下流側に位置するように構成されていることを特徴とする請求項１から４のいずれかに記載の吐水装置。
【発明の詳細な説明】
【技術分野】
【０００１】
本発明は、吐水装置に関する。
【背景技術】
【０００２】
シャワー吐水とストレート吐水とを吐水可能な吐水装置が知られている。従来では、例えば特許文献１に記載されるような吐水装置が提案されている。
【先行技術文献】
【特許文献】
【０００３】
【特許文献１】特開２００６−１９３９２３号公報
【発明の概要】
【発明が解決しようとする課題】
【０００４】
特許文献１に記載される従来の吐水装置は、シャワー吐水のための吐出流路（すなわちシャワー孔）に流れ込む水を濾過するためのストレーナを備える。これにより、シャワー吐水のための吐出流路に異物が詰まるのが抑止され、吐水性能が低下するのが抑止される。しかしながら、この吐水装置では、ストレーナに異物が溜まりうる。ストレーナに異物が溜まると、吐水性能が低下する。そのため、ストレーナに溜まった異物を除去するメンテナンスが必要となる。
【０００５】
本発明はこうした状況に鑑みてなされたものであり、その目的は、シャワー吐水とストレート吐水とを吐水可能な吐水装置において、メンテナンスが不要または低頻度でありながら比較的高い吐水性能を維持できる技術の提供にある。
【課題を解決するための手段】
【０００６】
上記課題を解決するために、本発明のある態様の吐水装置は、上流側水路から流れてくる水をシャワー吐水用の複数の第１吐水口に導くための第１水路と、上流側水路から流れてくる水をストレート吐水用の第２吐水口に導くための第２水路と、複数の第１吐水口に流れ込む水が通るストレーナと、を備える。ストレーナは、上流側水路と第２水路とが当該ストレーナを介さずに通じる部分を有するように設けられる。
【発明の効果】
【０００７】
本発明によれば、シャワー吐水とストレート吐水とを吐水可能な吐水装置において、メンテナンスが不要または低頻度でありながら比較的高い吐水性能を維持できる技術を提供できる。
【図面の簡単な説明】
【０００８】
【図１】実施の形態に係る吐水装置の設置状態を示す側面図である。
【図２】図１の吐水装置の一部を拡大して示す拡大断面図である。
【図３】図１の吐水装置の一部を拡大して示す拡大断面図である。
【図４】図２の吐水ヘッドの断面図である。
【図５】図５（ａ）、（ｂ）はそれぞれ、図４のＡ−Ａ線端面図、Ｂ−Ｂ線端面図である。
【図６】ストレーナと第２水路形成部材とを示す斜視図である。
【図７】ストレーナとその周辺を示す斜視断面図である。
【図８】図８（ａ）、（ｂ）は、吐水ヘッド内での水の流れ方を示す図である。
【図９】変形例に係る吐水ヘッドの一部を拡大して示す拡大断面図である。
【図１０】図１０（ａ）、（ｂ）は、変形例に係る吐水ヘッドを示す断面図である。
【発明を実施するための形態】
【０００９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
図１〜３は、実施の形態に係る吐水装置１０を示す。図１は、吐水装置１０の側面図である。図２、３は、吐水装置１０の一部を拡大して示す拡大断面図である。図２は吐水ヘッド１８が装置本体１４に収容された状態を示し、図３は吐水ヘッド１８が装置本体１４から引き出された状態を示す。
【００１１】
吐水装置１０は、本実施の形態では、キッチン等の流し台に設置される。なお、吐水装置１０は、手洗器、洗面器、浴室等に設置されてもよい。吐水装置１０は、給水源から給水路１２を通じて送られる水を、シャワー吐水またはストレート吐水する。「シャワー吐水」とは、複数の水流としてシャワー状に吐水する吐水態様をいう。「ストレート吐水」とは、単数の水流としてストレートに吐水する吐水態様をいう。
【００１２】
吐水装置１０は主に、装置本体１４と、給水ホース１６と、吐水ヘッド１８と、センサ部材２０と、開閉弁４０と、を備える。
【００１３】
装置本体１４は、吐水ヘッド１８等を支持する役割を持つ。本実施の形態の装置本体１４は吐水管２２等を用いて構成される。給水ホース１６は、フレキシブルホース等であり、可撓性を持つ素材を用いて構成される。給水ホース１６の内部には前述の給水路１２が形成される。吐水ヘッド１８は、給水ホース１６の下流端部に接続される。吐水ヘッド１８は、給水ホース１６とともに装置本体１４から引き出し可能である。吐水ヘッド１８は、給水ホース１６から流入する水をその吐水口４２からシャワー吐水またはストレート吐水する。
【００１４】
センサ部材２０は、センサケースの内部に物体検知センサ２４等を収容して構成される。センサ部材２０は、装置本体１４ａに収容される。本実施の形態の物体検知センサ２４は、赤外線式測距センサ、つまり、光電センサである。物体検知センサ２４は、所定の検知エリア２４ａ内での被検知物の有無を検知可能である。物体検知センサ２４は、検知エリア２４ａ内で物体が検知されることを、吐水装置１０の動作状態を切り替えるための切替操作として受け付ける。物体検知センサ２４が切替操作を受けたとき、不図示の制御部は、給水路１２に設けられる開閉弁４０（図１）を開閉するように制御する。これにより、吐水装置１０の動作状態が吐水状態と吐水停止状態との間で切り替えられる。このように、本実施の形態の吐水装置１０は、使用者による切替操作を受けて吐水状態と吐水停止状態とを切り替え可能な水栓装置として機能する。
【００１５】
図４は、吐水ヘッド１８の断面図である。図５（ａ）、（ｂ）はそれぞれ、図４のＡ−Ａ線端面図、Ｂ−Ｂ線端面図である。吐水ヘッド１８は、ケース部材５０と、水路形成ユニット５２と、操作ユニット５４と、弁機構１００と、ストレーナ７０と、を有する。
【００１６】
ケース部材５０は、吐水ヘッド１８の外形を構成する。ケース部材５０は、筒状の第１ケース部５０ａと、第１ケース部５０ａの外周部から突き出る筒状の第２ケース部５０ｂとを有する。ケース部材５０は中空構造であり、第１ケース部５０ａおよび第２ケース部５０ｂ内に一続きの内部空間が設けられる。吐水ヘッド１８の吐水口４２は第１ケース部５０ａの先端部に形成される。
【００１７】
以下、第１ケース部５０ａの中心軸Ｌｃに沿った方向を第１軸線方向Ｐｃという。また、第２ケース部５０ｂの中心軸に沿った方向を第２軸線方向Ｐｄという。
【００１８】
水路形成ユニット５２は、吐水口４２に通じる水路を形成する複数の水路形成部材をユニット化したものであり、第１ケース部５０ａに収容される。水路形成ユニット５２は、第１水路形成部材６０と、第２水路形成部材６２と、第３水路形成部材６４とを含む。第１水路形成部材６０、第２水路形成部材６２、第３水路形成部材６４は、第１軸線方向Ｐｃに沿って第１ケース部５０ａの基端部側から先端側にこの順に並び、隣り合う水路形成部材と接続される。
【００１９】
第１水路形成部材６０や第２水路形成部材６２は、第１軸線方向Ｐｃに延びる柱状をなす。第３水路形成部材６４は、第１軸線方向Ｐｃに延びる筒状部６４ａと、筒状部６４ａの先端部に設けられる板状の散水部６４ｂとを有する。散水部６４ｂには表裏を貫通する複数の吐出流路（シャワー孔）６４ｃが形成されている。
【００２０】
第１水路形成部材６０の基端部には、給水ホース１６がカプラ４４を介して接続される接続孔６０ｃが形成される。第１水路形成部材６０には、給水ホース１６から流入する水を通すための通水路８２が形成されている。通水路８２は、中心軸Ｌｃに沿って延在する。第１水路形成部材６０には、給水ホース１６から流入する水が衝突する障壁部８４が設けられる。障壁部８４は、通水路８２を上流側部分８２ａと下流側部分８２ｂに仕切る。障壁部８４には、通水路８２の上流側部分８２ａと下流側部分８２ｂを連通する不図示の連通孔が形成されている。
【００２１】
通水路８２の下流側部分８２ｂは、メイン水路８２ｃと、メイン水路８２ｃの下流側に位置し、シャワー吐水用水路８８およびストレート吐水用水路９２（いずれも後述）と接続される接続水路８２ｄと、を含む。メイン水路８２ｃは、中心軸Ｌｃに沿って延在する。接続水路８２ｄは、メイン水路８２ｃよりも断面積が拡大された流路である。
【００２２】
第２水路形成部材６２および第３水路形成部材６４には、シャワー吐水用水路８８と、ストレート吐水用水路９２とが形成される。シャワー吐水用水路８８は、通水路８２内の水を散水部６４ｂの複数の吐出流路６４ｃひいてはその出口部分である複数のシャワー吐水用の吐水口６４ｄに導くための水路である。ストレート吐水用水路９２は、通水路８２内の水をストレート吐水用の吐出流路９０ひいてはその出口部分である吐水口９０ａに導くための水路である。ストレート吐水用の吐出流路９０は、ケース部材５０と第３水路形成部材６４の間に形成される。
【００２３】
弁機構１００は、第１水路形成部材６０に設けられる収納孔１０４に収納される。弁機構１００は、弁体１０２と、位置保持機構１２０と、を含む。弁体１０２は、全体として、第１軸線方向Ｐｃに延びる柱状をなす。弁体１０２は、操作部材６６（後述）に対する押し込み操作により、収納孔１０４にガイドされながら第１軸線方向Ｐｃに移動する。これにより、弁体１０２がストレート吐水用水路９２の流入口部に設けられた弁座部１１２に対して離接し、ストレート吐水用水路９２が開閉する。
【００２４】
本実施の形態の位置保持機構１２０は、ハートカム部、カム溝、フォロアピン等を用いたハートカム機構である。位置保持機構１２０は、弁体１０２が開弁方向に動くたびに、ストレート吐水用水路９２を閉じる閉弁位置に弁体１０２を保持する閉弁状態と、ストレート吐水用水路９２を開く開弁位置に弁体１０２を保持する開弁状態とが切り替え可能に構成される。
【００２５】
操作ユニット５４は、ケース部材５０の第２ケース部５０ｂ内に収容される。操作ユニット５４は、操作部材６６を含む。操作部材６６は、第２軸線方向Ｐｄに沿って動作可能に設けられる。本実施形態の操作部材６６はロッドである。押し込み操作によって操作部材６６を作動方向Ｐｈに動かすことによって、弁体１０２を作動させることができる。
【００２６】
図６は、ストレーナ７０と第２水路形成部材６２とを示す斜視図である。図７は、ストレーナ７０とその周辺を示す斜視断面図である。図４に加えて図６、７を参照する。
【００２７】
ストレーナ７０は、散水部６４ｂの吐出流路６４ｃに流れ込む水を濾過するための濾過部材である。ストレーナ７０は、通水路８２と吐出流路６４ｃとがストレーナ７０を介して通じ、通水路８２とストレート吐水用水路９２とがストレーナ７０を介さずに通じる部分を有するように設けられる。ストレーナ７０は、シャワー吐水用水路８８に設けられてもよいが、好ましくはシャワー吐水用水路８８の流入口８８ａまたはその上流側（すなわち通水路８２）に設けられる。
【００２８】
図示の例では、ストレーナ７０は、多数の通水孔を有する半円板状のメッシュ板であり、シャワー吐水用水路８８の流入口８８ａよりも上流側（すなわち通水路８２）に、通水路８２とストレート吐水用水路９２とがストレーナ７０を介さずに通じるように設けられている。また、ストレーナ７０は、シャワー吐水時にストレーナ７０に濾過された（すなわち通過を阻止された）異物がストレート吐水時にストレート吐水用水路９２に流れるようにガイドするように構成されている。より具体的には、ストレーナ７０は、通水路８２ひいては中心軸Ｌｃに沿った断面において、図示の例では中心軸Ｌｃを含む断面において、ストレート吐水用水路９２の流入口９２ａに近いほど下流側に位置するように構成されている。
【００２９】
また図示の例では、シャワー吐水用水路８８の流入口８８ａは通水路８２のメイン水路８２ｃと対面し、ストレート吐水用水路９２の流入口９２ａは通水路８２のメイン水路８２ｃと対面しないよう構成されている。言い換えると、シャワー吐水用水路８８の流入口８８ａは、ストレート吐水用水路９２の流入口９２ａよりも通水路８２のメイン水路８２ｃの近くに位置するよう構成されている。
【００３０】
図８（ａ）、（ｂ）は、吐水ヘッド１８内での水の流れ方を示す図である。図８（ａ）はシャワー吐水時の様子を示し、図８（ｂ）はストレート吐水時の様子を示す。図８（ａ）に示すように、弁体１０２が閉弁状態にあるとき、給水ホース１６から通水路８２内に流入した水は、ストレート吐水用水路９２には流入せずにシャワー吐水用水路８８のみに流入する。特に、ストレーナ７０を通じてシャワー吐水用水路８８に流入する。そのため、流入した水に含まれていた異物の少なくとも一部は、ストレーナ７０により濾過される。シャワー吐水用水路８８に流入した水は、散水部６４ｂの複数のシャワー吐水用の吐水口６４ｄを通じて吐水ヘッド１８の吐水口４２から複数の吐水流Ｗｆ１として吐き出される、すなわちシャワー吐水される。
【００３１】
一方、図８（ｂ）に示すように、弁体１０２が開弁状態にあるとき、給水ホース１６から通水路８２内に流入した水は、ストレート吐水用水路９２とシャワー吐水用水路８８の両方に流入する。ストレート吐水用水路９２に流入した水とシャワー吐水用水路８８に流入した水は、複数のシャワー吐水用の吐水口６４ｄやストレート吐水用の吐水口９０ｃから吐き出される過程で合流し、吐水ヘッド１８の吐水口４２から単数の吐水流Ｗｆ２として吐き出される、すなわちストレート吐水される。通水路８２とストレート吐水用水路９２とはストレーナ７０を介さないで通じる部分を有するため、シャワー吐水時にストレーナ７０に濾過された異物は、水の流れに乗ってストレート吐水用水路９２へと流れ、吐水口９０ａから外部に吐き出される。
【００３２】
以上説明した本実施の形態に係る吐水装置１０によると、ストレーナ７０は、通水路８２と吐出流路６４ｃとがストレーナ７０を介して通じるように設けられる。これにより、吐出流路６４ｃへはストレーナ７０を通じて水が流れ込むため、異物が吐出流路６４ｃに流れ込んで吐出流路６４ｃに異物が詰まるのが抑止される。また、ストレーナ７０は、通水路８２とストレート吐水用水路９２とがストレーナ７０を介さずに通じる部分を有するように設けられる。これにより、シャワー吐水時にストレーナ７０に濾過された異物は、ストレート吐水時にストレート吐水用水路９２を通じて吐水口９０ａから外部に吐き出されるため、ストレーナ７０およびその上流側周辺に異物が溜まるのも抑止される。つまり、本実施の形態に係る吐水装置１０によると、吐水性能を維持でき、かつ、ストレーナ７０に溜まった異物を除去するメンテナンスを不要または比較的低頻度にすることができる。
【００３３】
また、本実施の形態に係る吐水装置１０によると、ストレーナ７０は、好ましくは、シャワー吐水用水路８８の流入口８８ａに、またはその流入口８８ａよりも上流側すなわち通水路８２に設けられる。これにより、シャワー吐水時にストレーナ７０に濾過された異物が、ストレート吐水時の水の流れに乗ってストレート吐水用水路９２に流れやすくなるため、異物をより確実に外部に吐き出すことができる。
【００３４】
また、本実施の形態に係る吐水装置１０によると、シャワー吐水用水路８８の流入口８８ａは通水路８２のメイン水路８２ｃと対面し、ストレート吐水用水路９２の流入口９２ａは通水路８２のメイン水路８２ｃと対面しないよう構成されている。言い換えると、シャワー吐水用水路８８の流入口８８ａは、ストレート吐水用水路９２の流入口９２ａよりも通水路８２のメイン水路８２ｃの近くに位置するよう構成されている。これにより、ストレート吐水時にはシャワー吐水用水路８８の流入口８８ａ近傍からストレート吐水用水路９２の流入口９２ａ近傍に向かう水の流れが形成され、シャワー吐水時にストレーナ７０に濾過された異物が、ストレート吐水用水路９２に流れやすくなる。
【００３５】
また、本実施の形態に係る吐水装置１０によると、通水路８２ひいては中心軸Ｌｃに沿った断面において、ストレーナ７０はストレート吐水用水路９２の流入口９２ａに近いほど下流側に位置するように構成されている。これにより、シャワー吐水時にストレーナ７０に濾過された異物は、ストレート吐水時にストレーナ７０に阻害されることなくストレーナ７０にガイドされながら水の流れに乗ってストレート吐水用水路９２に流される。つまり、異物をより確実に外部に吐き出すことができる。
【００３６】
以上、実施の形態に係る吐水装置について説明した。この実施の形態は例示であり、各構成要素の組み合わせにいろいろな変形例が可能なこと、またそうした変形例も本発明の範囲にあることは当業者に理解されるところである。
【００３７】
（変形例１）
図９は、変形例に係る吐水ヘッドの一部を拡大して示す拡大断面図である。本変形例では、シャワー吐水用水路８８の流入口８８ａは、ストレート吐水用水路９２の流入口９２ａよりも上流側に位置する。すなわち、シャワー吐水用水路８８は、ストレート吐水用水路９２よりも上流側において通水路８２と接続されている。この場合、シャワー吐水時にストレーナ７０で濾過された異物が、ストレート吐水時に上流から下流への水の流れに乗ってストレート吐水用水路９２から外部に吐き出される。つまり、異物をより確実に外部に吐き出すことができる。
【００３８】
（変形例２）
図１０（ａ）、（ｂ）は、変形例に係る吐水ヘッドを示す断面図である。図１０（ａ）はシャワー吐水時の様子を示し、図１０（ｂ）はストレート吐水時の様子を示す。吐水ヘッドは、筒部材１５０と、第２水路形成部材６２と、第３水路形成部材６４と、操作部材１５４と、シール部材２０２と、ストレーナ７０と、を有する。
【００３９】
操作部材１５４は、全体として筒状をなし、筒部材１５０の外周側に配置される。操作部材１５４は、第２水路形成部材６２に対して回転軸に沿った軸方向（図中の上下方向）での相対変位が規制された状態で、その回転軸周りに回転可能に支持される。
【００４０】
操作部材１５４の内周面には二つの螺旋溝１５４ａが形成されており、筒部材１５０の外周面には操作部材１５４の螺旋溝１５４ａに摺動可能に当接する凸部１５０ａが形成されている。筒部材１５０は、操作部材１５４の螺旋溝１５４ａに対する凸部１５０ａの当接により、操作部材１５４を介して第２水路形成部材６２に支持される。第２水路形成部材６２に対して操作部材１５４を回転させると、操作部材１５４の螺旋溝１５４ａに沿って筒部材１５０の凸部１５０ａが摺動することで、操作部材１５４に対して筒部材１５０が上下方向に相対移動する。このとき、筒部材１５０は、第２水路形成部材６２に対して上下方向に相対移動する。このように、操作部材１５４の螺旋溝１５４ａと筒部材１５０の凸部１５０ａとは、操作部材１５４の回転運動を筒部材１５０の直線運動に変換する直動機構を構成する。
【００４１】
第２水路形成部材６２と筒部材１５０との間にはシール部材２０２が配置される。シール部材２０２は、第２水路形成部材６２に接着等により固定される。シール部材２０２は、第１に、筒部材１５０と第２水路形成部材６２との間をシールする役割をもつ。シール部材２０２は、第２に、第２水路形成部材６２の通水路８２とストレート吐水用水路９２との連通を遮断する役割を持つ。
【００４２】
ストレーナ７０は、円錐の側面の形状、いわば傘状の形状を有する。ストレーナ７０は、円錐の底面に相当する側の端部が、第３水路形成部材６４の上流側の端部に当接した状態で固定される。ストレーナ７０は、通水路８２ひいては筒部材１５０や第２水路形成部材６２の中心軸Ｌｃに沿った断面において、図示の例では中心軸Ｌｃを含む平面による断面において、ストレート吐水用水路９２の流入口に近いほど下流側に位置するように構成されている。なお、図示の例ではシャワー吐水用水路８８の流入口８８ａよりも上流側に設けられているが、シャワー吐水用水路８８に設けられてもよい。
【００４３】
第２水路形成部材６２に対して操作部材１５４を回転させ、第２水路形成部材６２と筒部材１５０の先端部同士を近づくように相対移動させると、図１０（ａ）に示すように第３水路形成部材６４がシール部材２０２に当接し、ストレート吐水用水路９２が閉じる。このとき通水路８２内に流入した水は、ストレート吐水用水路９２には流入せずにシャワー吐水用水路８８のみに流入する。特に、ストレーナ７０を通じてシャワー吐水用水路８８に流入する。そのため、流入した水に含まれていた異物の少なくとも一部は、ストレーナ７０により濾過される。シャワー吐水用水路８８に流入した水は、複数の吐水口６４ｄを通じて吐水ヘッドの吐水口４２から複数の吐水流Ｗｆ１として吐き出される、すなわちシャワー吐水される。
【００４４】
第２水路形成部材６２に対して操作部材１５４を反対に回転させ、第２水路形成部材６２と筒部材１５０の先端部同士が遠ざかるように相対移動させると、第３水路形成部材６４がシール部材２０２から離間し、ストレート吐水用水路９２が開く。このとき通水路８２内に流入した水は、ストレート吐水用水路９２とシャワー吐水用水路８８の両方に流入する。ストレート吐水用水路９２に流入した水とシャワー吐水用水路８８に流入した水は、複数のシャワー吐水用の吐水口６４ｄやストレート吐水用の吐水口９２ｂから吐き出される過程で合流し、吐水ヘッドの吐水口４２から単数の吐水流Ｗｆ２として吐き出される。通水路８２とストレート吐水用水路９２とはストレーナ７０とはストレーナ７０を介さないで通じているため、シャワー吐水時にストレーナ７０に濾過された異物は、ストレート吐水用水路９２に流入する水の流れに乗ってストレート吐水用の吐水口９２ｂから吐き出される。
【００４５】
本変形例に係る吐水装置によれば、実施の形態に係る吐水装置１０によって奏される作用効果と同様の作用効果を奏することができる。
【００４６】
以上の記載から、下記の発明が認識される。
本発明のある態様の吐水装置は、上流側水路から流れてくる水をシャワー吐水用の複数の第１吐水口に導くための第１水路と、上流側水路から流れてくる水をストレート吐水用の第２吐水口に導くための第２水路と、複数の第１吐水口に流れ込む水が通るストレーナと、を備える。ストレーナは、上流側水路と第２水路とが当該ストレーナを介さずに通じる部分を有するように設けられる。この態様によると、吐水性能を維持でき、かつ、ストレーナに溜まった異物を除去するメンテナンスを不要または比較的低頻度にすることができる。
【００４７】
ストレーナは、第１水路の流入口または当該流入口よりも上流側に設けられてもよい。
【００４８】
上流側水路は、メイン水路と、メイン水路の下流側に位置し、第１水路および第２水路と接続される接続水路と、を含んでもよい。第１水路の流入口は、第２水路の第２流入口よりもメイン水路の近くに位置してもよい。
【００４９】
第１水路の流入口は第２水路の流入口よりも上流側に位置してもよい。
【００５０】
上流側水路は、所定の方向に沿って延在し、上流側水路の延在方向に沿った断面において、ストレーナは、第２水路の流入口に近いほど下流側に位置するように構成されていてもよい。
【００５１】
これらの場合、ストレーナに溜まった異物をより確実に外部に吐き出すことができる。
【符号の説明】
【００５２】
１０  吐水装置、  ６４ｄ  吐水口、  ７０  ストレーナ、  ８２  通水路、  ８８  シャワー吐水用水路、  ９０ａ  吐水口、  ９２  ストレート吐水用水路。
【図１】
2019027256.tif 000003
【図２】
2019027256.tif 000004
【図３】
2019027256.tif 000005
【図４】
2019027256.tif 000006
【図５】
2019027256.tif 000007
【図６】
2019027256.tif 000008
【図７】
2019027256.tif 000009
【図８】
2019027256.tif 000010
【図９】
2019027256.tif 000011
【図１０】
2019027256.tif 000012